(57)【要約】    【課題】  スイッチを任意の方向から操作できる様にし、作業上の制約を解消し、操作性の向上を図るものである。    【解決手段】  アクチュエータ４の出入りでＯＮ／ＯＦＦするスイッチ５を具備し、自由状態で前記アクチュエータが吸着板１４より突出する様に設け、スイッチ作動ピン１８が設けられたマグネット１５を前記吸着板に吸着離脱可能とし、前記マグネットが前記吸着板に吸着した状態で前記アクチュエータが前記マグネットに押圧されてＯＦＦ又はＯＮし、前記スイッチ作動ピンに外力を作用して前記マグネットを前記吸着板から離脱した状態で前記アクチュエータが突出してＯＮ又はＯＦＦする様構成した。    【選択図】          図１
2006236952.tif 000002
【特許請求の範囲】
【請求項１】
アクチュエータの出入りでＯＮ／ＯＦＦするスイッチを具備し、自由状態で前記アクチュエータが吸着板より突出する様に設け、スイッチ作動ピンが設けられたマグネットを前記吸着板に吸着離脱可能とし、前記マグネットが前記吸着板に吸着した状態で前記アクチュエータが前記マグネットに押圧されてＯＦＦ又はＯＮし、前記スイッチ作動ピンに外力を作用して前記マグネットを前記吸着板から離脱した状態で前記アクチュエータが突出してＯＮ又はＯＦＦする様構成したことを特徴とする電子機器のスイッチ構造。
【発明の詳細な説明】
【技術分野】
【０００１】
本発明は、送信機等電子機器に於いて電源スイッチ等に用いられる電子機器のスイッチ構造に関するものである。
【背景技術】
【０００２】
電子機器、例えば送信機に用いられるスイッチ構造について図５により説明する。
【０００３】
図５中、１は筐体のパネルであり、該パネル１の裏面にはスイッチホルダ２が固着されている。該スイッチホルダ２には前記パネル１側から凹部３が形成されており、該凹部３は前記パネル１に対して垂直となっており、前記凹部３にアクチュエータ４が露出する様に、スイッチ５が取付けられている。前記スイッチホルダ２には前記アクチュエータ４の作動方向に対して直角な方向にプランジャ６が突出し、又該プランジャ６は突出方向にスプリング（図示せず）等により付勢されている。
【０００４】
前記凹部３には前記パネル１を貫通して、スイッチ作動ピン７が挿脱可能となっており、該スイッチ作動ピン７には係合溝８が刻設されており、前記スイッチ作動ピン７が前記凹部３に挿入され、前記アクチュエータ４を押圧してスイッチＯＦＦとした状態で前記係合溝８に前記プランジャ６が係合する様になっており、前記係合溝８と前記プランジャ６との係合力で前記スイッチ作動ピン７が保持され、即ち前記スイッチ５のスイッチＯＦＦが保持される。
【０００５】
前記スイッチ５をＯＮとするには、前記スイッチ作動ピン７を引抜けば、前記アクチュエータ４が突出して前記スイッチ５がＯＮの状態となる。
【０００６】
又、前記スイッチ５をＯＦＦとするには、前記スイッチ作動ピン７を前記凹部３に挿入すればよく、前記プランジャ６は前記スイッチ作動ピン７に押されて一旦後退し、更に前記係合溝８に係合する。
【０００７】
上記した電子機器のスイッチ構造では、前記スイッチ作動ピン７は軸芯方向にしか挿脱できない為、前記スイッチ５を作動させるには、作業者が前記スイッチ作動ピン７を軸芯方向に引抜くことができる位置、姿勢をとらなければならず、作業の制約となっていた。
【０００８】
又、前記スイッチ作動ピン７の保持力は、前記プランジャ６と前記係合溝８との係合力であり、この係合力は人で簡単に操作できる程度の大きさであり、前記スイッチ作動ピン７に軸芯方向の予期せぬ外力が作用した場合は、前記スイッチ５が作動してしまうという問題があった。
【発明の開示】
【発明が解決しようとする課題】
【０００９】
本発明は斯かる実情に鑑み、スイッチを任意の方向から操作できる様にすると共にＯＦＦ又はＯＮの状態を確実に保持できる様にし、操作性、安全性の向上を図るものである。
【課題を解決するための手段】
【００１０】
本発明は、アクチュエータの出入りでＯＮ／ＯＦＦするスイッチを具備し、自由状態で前記アクチュエータが吸着板より突出する様に設け、スイッチ作動ピンが設けられたマグネットを前記吸着板に吸着離脱可能とし、前記マグネットが前記吸着板に吸着した状態で前記アクチュエータが前記マグネットに押圧されてＯＦＦ又はＯＮし、前記スイッチ作動ピンに外力を作用して前記マグネットを前記吸着板から離脱した状態で前記アクチュエータが突出してＯＮ又はＯＦＦする様構成した電子機器のスイッチ構造に係るものである。
【発明の効果】
【００１１】
本発明によれば、アクチュエータの出入りでＯＮ／ＯＦＦするスイッチを具備し、自由状態で前記アクチュエータが吸着板より突出する様に設け、スイッチ作動ピンが設けられたマグネットを前記吸着板に吸着離脱可能とし、前記マグネットが前記吸着板に吸着した状態で前記アクチュエータが前記マグネットに押圧されてＯＦＦ又はＯＮし、前記スイッチ作動ピンに外力を作用して前記マグネットを前記吸着板から離脱した状態で前記アクチュエータが突出してＯＮ又はＯＦＦする様構成したので、前記スイッチ作動ピンには前記マグネットが前記吸着板から離脱する方向に外力を作用させればよいので、外力の作用する方向が限定されず、作業上の制約を受けないという優れた効果を発揮する。
【発明を実施するための最良の形態】
【００１２】
以下、図面を参照しつつ本発明を実施する為の最良の形態を説明する。
【００１３】
図１、図２に於いて、１は筐体のパネル、４はアクチュエータ、５はスイッチを示している。
【００１４】
前記パネル１の表面側に座刳り部１１を形成し、該座刳り部１１の中心に裏面側からアクチュエータガイド１２を挿通し、ワッシャ１３を介して鉄等の磁性材料から成る吸着板１４を前記アクチュエータガイド１２に螺着する。前記吸着板１４は円板形状であり、外周面には螺子が刻設されている。該吸着板１４が前記アクチュエータガイド１２に螺着された状態で、前記アクチュエータ４は自由状態で前記吸着板１４より突出した状態となっている。該吸着板１４は前記アクチュエータ４のみが突出する様位置決めされる。尚、前記パネル１に前記アクチュエータガイド１２が螺合する様にすれば、前記吸着板１４はロックナットとして機能するので前記アクチュエータ４の突出量を調整することができる。
【００１５】
前記吸着板１４と略同径の円柱形状のマグネット１５が円筒状のケース１６に摺動可能に収納されており、該ケース１６は前記吸着板１４側の端が開放されている。前記ケース１６の開放端内面には、前記吸着板１４と螺合する螺子が刻設されている。前記ケース１６の材料としては、好ましくは非磁性体材料、例えば銅、銅合金、アルミニウム、アルミ合金、ステンレス或は合成樹脂等が用いられる。
【００１６】
前記マグネット１５の反吸着板１４側には埋込みナット１７が埋設され、該埋込みナット１７にはスイッチ作動ピン１８が螺入され、ロックナット１９により固定されている。尚、前記ケース１６には前記スイッチ作動ピン１８、前記ロックナット１９と干渉しない様に逃げ孔２１が穿設されている。前記スイッチ作動ピン１８は前記ケース１６より突出しており、先端には摘みリング２２が設けられている。
【００１７】
図３、図４を参照して作動について説明する。
【００１８】
図１は、前記スイッチ５がＯＮの状態を示しており、前記アクチュエータ４は突出した状態となっている。
【００１９】
図３は前記スイッチ５がＯＦＦの状態を示しており、前記マグネット１５が前記吸着板１４に吸着している。前記マグネット１５が前記吸着板１４に吸着することで、前記マグネット１５が前記アクチュエータ４を押込み、前記スイッチ５はＯＦＦとなる。
【００２０】
前記スイッチ５をＯＮにするには、前記マグネット１５を前記吸着板１４から引離せばよい。従って、前記マグネット１５に前記吸着板１４から離反する方向に力が作用する様に、前記スイッチ作動ピン１８、即ち前記摘みリング２２に外力を与えればよい。
【００２１】
例えば、図３中、前記摘みリング２２にｃ方向の外力を作用させれば、前記マグネット１５と前記吸着板１４間には引張りによる引剥がし力が作用し、ｂ，ｄ方向に外力を与えれば、前記マグネット１５と前記吸着板１４間には引張りと、モーメントによる引剥がし力が作用し、ａ，ｅ，ｆ，ｇ方向に外力を作用させると、前記マグネット１５と前記吸着板１４間にはモーメントによる引剥がし力が作用する。いずれの方向に外力を与えても、前記マグネット１５が前記吸着板１４から外れ、前記スイッチ５がＯＮ動作する。
【００２２】
次に、該スイッチ５のＯＦＦ状態を固定維持するには、前記ケース１６を前記吸着板１４側にスライドさせ、前記ケース１６を回して前記吸着板１４と前記ケース１６とを螺合させる。前記吸着板１４と前記ケース１６が螺合することで、前記吸着板１４と前記ケース１６が機械的に一体化し、前記摘みリング２２に予期せぬ外力が作用しても、前記マグネット１５は外れず前記スイッチ５がＯＮ動作することはない。
【００２３】
前記スイッチ５のＯＦＦ状態の固定を解除する場合は、前記ケース１６を回して前記吸着板１４と前記ケース１６との螺合を解除すればよい。
【００２４】
尚、上記実施の形態では前記マグネット１５が外れた状態をＯＮとしたが、該マグネット１５が前記吸着板１４と吸着した状態をＯＮとしてもよい。又、前記スイッチ５のＯＦＦ状態の固定維持が必要ない場合は、前記ケース１６を省略できる。又、前記アクチュエータガイド１２が前記パネル１の板厚に対して充分長い場合は、座刳り加工を省略できる。更に、前記吸着板１４は単なる鉄製のナットとしてもよい。更に又、前記パネル１の材質が鉄材である場合は、前記アクチュエータガイド１２を前記パネル１に螺合させ、前記マグネット１５を前記パネル１に直接吸着させる様にしてもよい。
【図面の簡単な説明】
【００２５】
【図１】本発明の実施の形態を示す断面図である。
【図２】本発明の実施の形態を示す分解斜視図である。
【図３】本発明の実施の形態に於けるスイッチのＯＦＦ状態を示す断面図である。
【図４】本発明の実施の形態に於けるスイッチのＯＦＦ固定状態を示す断面図である。
【図５】従来例を示す断面図である。
【符号の説明】
【００２６】
１              パネル
４              アクチュエータ
５              スイッチ
１２            アクチュエータガイド
１３            ワッシャ
１４            吸着板
１５            マグネット
１６            ケース
１７            埋込みナット
１８            スイッチ作動ピン
１９            ロックナット
２１            逃げ孔
２２            摘みリング
【図１】
2006236952.tif 000003
【図２】
2006236952.tif 000004
【図３】
2006236952.tif 000005
【図４】
2006236952.tif 000006
【図５】
2006236952.tif 000007